(57)【要約】【課題】廃棄の手間を極力掛からないようにすることが可能な束巻き電線を提供する。【解決手段】円筒状に巻き付けられた電線束１２と、その電線束１２を結束するための結束バンド１３、１３と、電線束１２を包装するための電線束包装部材１４とを備えて束巻き電線１１を構成するとともに、結束バンド１３、１３及び電線束包装部材１４を部分的に接合して一体化する。接合部位は、１８、１８で示される接合部である。電線束包装部材１４としては、シュリンクフィルムを用い、且つ結束バンド１３、１３と電線束包装部材１４とを同じ材質のものとし、且つ熱圧着、熱融着、或いは接着剤のいずれかで接合する。【選択図】    図１
2004359300.tif 000002
【特許請求の範囲】
【請求項１】
円筒状に巻き付けられた電線束と、該電線束を結束するための結束バンドと、前記電線束を包装するための電線束包装部材とを備えた束巻き電線であって、
前記結束バンドと前記電線束包装部材とを部分的に接合して一体化した
ことを特徴とする束巻き電線。
【請求項２】
請求項１に記載の束巻き電線において、
前記結束バンドと前記電線束包装部材との接合部位を、前記電線束の上面側の一部、下面側の一部、側面側の一部、或いは上下面側の一部、のいずれかとした
ことを特徴とする束巻き電線。
【請求項３】
請求項１又は請求項２に記載の束巻き電線において、
前記電線束包装部材としてシュリンクフィルムを用い、且つ前記結束バンドと前記電線束包装部材とを同じ材質のものとし、且つ前記接合を、熱圧着、熱融着、或いは接着剤による接着のいずれかとした
ことを特徴とする束巻き電線。
【発明の詳細な説明】
【０００１  】
【発明の属する技術分野】
本発明は、電線束と結束バンドと電線束包装部材とを備えた束巻き電線に関する。
【０００２  】
【従来の技術】
家、ビルディング、工場等の配線にＩＶ電線やＶＶＦ電線が使用されている。これらの電線は、保管、搬送、使用時の取り扱いの容易さ等から、一般に円筒状に巻き付けられて束ねられた束巻き電線として使用されている。
【０００３  】
従来の束巻き電線１は、図３に示されるように、電線２を円筒状に巻き付けて束ねることにより形成される電線束３と、その電線束３を結束するために電線束３の適宜箇所（通常２箇所ないし４箇所）に巻き付けられる結束バンド４、４と、保管や運搬時における電線束３の保護や束崩れを防止するために、結束バンド４、４により結束された電線束３を被覆包装する熱収縮フィルム５とを備えて構成されている（例えば特許文献１参照）。尚、熱収縮フィルム５は、電線束３の円筒内周面以外を包被するようになっている。
【０００４  】
上記構成において、束巻き電線１から電線２を引き出す場合には、熱収縮フィルム５を電線束３に包被したままの状態で結束バンド４、４を切断する。すなわち、結束バンド４、４による結束状態を解除する。これにより、電線束３の円筒内周面側から電線２を引き出すことが可能になる。
【０００５  】
【特許文献１】
特開２００２−１０９９６２号公報  （第２頁、第６図）
【０００６  】
【発明が解決しようとする課題】
ところで、上記従来技術にあっては、結束バンド４、４を切断した後、その結束バンド４、４は不要になることから、ゴミとして扱われる。また、束巻き電線１の使用後には、熱収縮フィルム５も不要になることから、これもゴミとして扱われる。従って、ゴミ捨てが二度にわたって行われ、手間が掛かっている。
【０００７  】
本発明は、上述した事情に鑑みてなされるもので、廃棄の手間を極力掛からないようにすることが可能な束巻き電線を提供することを課題とする。
【０００８  】
【課題を解決するための手段】
上記課題を解決するためなされた請求項１記載の本発明の束巻き電線は、円筒状に巻き付けられた電線束と、該電線束を結束するための結束バンドと、前記電線束を包装するための電線束包装部材とを備えた束巻き電線であって、前記結束バンドと前記電線束包装部材とを部分的に接合して一体化したことを特徴としている。
【０００９  】
請求項２記載の本発明の束巻き電線は、請求項１に記載の束巻き電線において、前記結束バンドと前記電線束包装部材との接合部位を、前記電線束の上面側の一部、下面側の一部、側面側の一部、或いは上下面側の一部、のいずれかとしたことを特徴としている。
【００１０  】
請求項３記載の本発明の束巻き電線は、請求項１又は請求項２に記載の束巻き電線において、前記電線束包装部材としてシュリンクフィルムを用い、且つ前記結束バンドと前記電線束包装部材とを同じ材質のものとし、且つ前記接合を、熱圧着、熱融着、或いは接着剤による接着のいずれかとしたことを特徴としている。
【００１１  】
請求項１に記載された本発明によれば、結束バンドと電線束包装部材とが一体化した束巻き電線になる。これにより、束巻き電線の使用後に一括して不要物の廃棄が行える。尚、部分的に接合することにより、接合に掛かる工数が低減される。請求項２に記載された本発明によれば、接合し易い部位において結束バンドと電線束包装部材との部分的な接合が行える。請求項３に記載された本発明によれば、電線束の被覆包装がシュリンクフィルムの熱収縮により行える。また、分別せずに不要物の廃棄が行える。さらに、部分的な接合が簡単な手法により行える。
【００１２  】
【発明の実施の形態】
以下、図面を参照して本発明の実施の形態を説明する。図１は本発明の束巻き電線の一実施の形態を示す斜視図である。
【００１３  】
図１において、引用符号１１は本発明の束巻き電線を示している。その束巻き電線１１は、電線束１２と結束バンド１３、１３と電線束包装部材１４とを備えて構成されている。本発明の束巻き電線１１は、結束バンド１３、１３と電線束包装部材１４とを部分的に接合して一体化したものであり、束巻き電線１１の使用後に一括して不要物の廃棄が行えるようになっている。以下、各構成部材について詳細に説明する。
【００１４  】
上記電線束１２は、例えばＶＶＦ電線等の電線１５を円筒状に巻き付けて束ねることにより形成されている。具体的に説明すると、電線束１２は、所定長さ（例えば１００ｍ）の電線１５を平面視ドーナツ状となるように巻き付けてなるものであって、このような電線束１２には、中空部１６が形成されている。
【００１５  】
電線束１２は、中空部１６に面する円筒内周面側に、電線１５の内側端末（不図示）がくるように巻き付けられている。また、電線束１２の円筒外周面側に、電線１５の外側端末１７がくるように巻き付けられている。電線束１２は、上記結束バンド１３、１３の後述する結束状態が解除されると、中空部１６から電線１５が引き出せるようになっている。
【００１６  】
上記結束バンド１３、１３は、電線束１２を結束するための部材であって、本形態においては帯状に形成されたものが用いられている。このような結束バンド１３、１３は、電線束１２がばらけないように、その電線束１２を押さえつける機能を有している。結束バンド１３、１３は、電線束１２の上面、円筒内周面、下面、及び円筒外周面（側面）を通って一周するように、電線束１２にそれぞれ巻き付けられている。
【００１７  】
尚、結束バンド１３、１３を用いて電線束１２を結束する際には、結束バンド１３、１３の各両端部を電線束１２の円筒外周面上で重ね合わせ、その重ね合わせた箇所を熱融着するか、或いは、重ね合わせた箇所をシール金具で係止する結束方法が一般的に採用されている。
【００１８  】
上記電線束包装部材１４は、結束バンド１３、１３により結束された電線束１２を、その円筒内周面を除いて被覆包装する部材であって、本形態においては、結束バンド１３、１３と同じ材質になるシュリンクフィルム（熱収縮フィルム）が用いられている（後述する接合ができれば同じ材質に限らないものとする。また、熱収縮フィルムに限らずプラスチックシートやクラフト紙であってもよいものとする）。
【００１９  】
一般に高分子フィルムを１軸延伸、２軸延伸など延伸すると分子が引っ張り方向（延伸方向）へ配向し、このように延伸された高分子フィルムは、加熱されると、延伸によって配向した分子配向による応力が緩和されて延伸前の高分子フィルムの状態に戻ろうとして収縮する。この性質を利用したのが上記シュリンクフィルムである。
【００２０  】
上記シュリンクフィルムは、ＰＥＴ、ＰＥ、ＰＰ等の高分子樹脂を原料とした熱可塑性フィルム（高分子フィルム）を適当な温度で延伸加工し、その状態で冷却することにより、分子鎖が延伸方向に配向し形状が固定され、その後再加熱すると元の寸法に戻る性質を備えている。本形態の電線束包装部材１４であるシュリンクフィルムは、１軸収縮タイプであり、電線束１２の外円周方向にのみ収縮して、電線束１２の円筒外周面及び上下面を包被するようになっている。
【００２１  】
上記構成において、結束バンド１３、１３及び電線束包装部材１４は、電線束１２の上面側（この限りではないものとする。後述する）において部分的に接合されている。すなわち、引用符号１８、１８で示される接合部によって、結束バンド１３、１３及び電線束包装部材１４は一体化されている。
【００２２  】
ここで、接合部１８、１８は、外力により結束バンド１３、１３及び電線束包装部材１４が容易く分離してしまわない程度の接合強度を有している。接合部１８、１８は、本形態において、接合に掛かる工数を鑑みて略点状の接合となるように設定されている（分離しない程度に一体化されていればよく、これを満足することができれば両者をあえて広範囲にベタ付けする必要はない）。尚、接合方法は、熱圧着、熱融着、或いは接着剤による接着のいずれかを選択することができるものとする。
【００２３  】
束巻き電線１１から電線１５を引き出す場合には、電線束包装部材１４を電線束１２に包被したままの状態、且つ結束バンド１３、１３及び電線束包装部材１４を接合したままの状態で結束バンド１３、１３を切断する。すなわち、結束バンド１３、１３による結束状態を解除する。これにより、電線束１２の円筒内周面側から電線１５が引き出し可能になる。
【００２４  】
以上説明したように、本発明の束巻き電線１１は、結束バンド１３、１３と電線束包装部材１４とを一体化したものである。従って、束巻き電線１１の使用後において、一括して不要物（結束バンド１３、１３及び電線束包装部材１４）の廃棄を行うことができる。
【００２５  】
次に、図２を参照しながら本発明による束巻き電線の他の一実施の形態を説明する。図２は他の一実施の形態を示す斜視図である。
【００２６  】
図２において、引用符号１１′で示される束巻き電線は、上述の束巻き電線１１と同じ構成を有しており、接合部１８、１８（一方のみ図示）の位置のみが異なっている。すなわち、電線束１２の側面側の一部、言い換えれば円筒外周面側において部分的に接合されている。
【００２７  】
このように、接合し易い部位で結束バンド１３、１３と電線束包装部材１４とを部分的に接合することができるものとする（他の接合部位としては、電線束１２の下面側の一部、電線束１２の上下面側の一部が挙げられるものとする）。
【００２８  】
その他、本発明は本発明の主旨を変えない範囲で種々変更実施可能なことは勿論である。
【００２９  】
すなわち、中空部１６を通さずに結束バンド１３を電線束１２に巻き付けてもよいものとする（特許文献１に挙げた特開２００２−１０９９６２号公報が参考になる）。そして、中空部１６を通さずに巻き付けた結束バンド１３と電線束包装部材１４とを部分的に接合したものを製造すれば、上述同様の効果を奏するのは勿論のこと、運搬が容易で結束バンドを切断することなく電線束から電線を引き出せるものが提供できる。
【００３０  】
【発明の効果】
以上説明したように、請求項１に記載された本発明によれば、廃棄の手間を極力掛からないようにすることができるという効果を奏する。
【００３１  】
請求項２に記載された本発明によれば、接合し易い部位で結束バンドと電線束包装部材とを部分的に接合することができるという効果を奏する。
【００３２  】
請求項３に記載された本発明によれば、シュリンクフィルムの熱収縮により電線束を被覆包装することができるという効果を奏する。また、分別せずに不要物の廃棄を行うことができるという効果を奏する。さらに、部分的な接合を簡単に行うことができるという効果を奏する。
【図面の簡単な説明】
【図１】本発明による束巻き電線の一実施の形態を示す斜視図である。
【図２】本発明による束巻き電線の他の一実施の形態を示す斜視図である。
【図３】従来例の束巻き電線の斜視図である。
【符号の説明】
１１、１１′  束巻き電線
１２  電線束
１３  結束バンド
１４  電線束包装部材
１５  電線
１６  中空部
１７  外側端末
１８  接合部
【図１】
2004359300.tif 000003
【図２】
2004359300.tif 000004
【図３】
2004359300.tif 000005